(57)【要約】【課題】照明器具本体にライトユニットを取り付ける際に、ねじを落下させたり紛失させたりすることがない、ライトユニット、及び照明装置を提供する。【解決手段】ライトユニットは、器具側平板部２３０と一部が接する腕部５３Ｌを有する取付金具５０Ｌ−２と、腕部５３Ｌと器具側平板部２３０との間に配置される抜け止めワッシャー５４２Ｌと、腕部５３Ｌを挟んで抜け止めワッシャー５４２Ｌの反対側に配置されるワッシャー５４１Ｌと、ネジ溝が形成されたネジ軸９６２Ｌ及びネジ頭９６１Ｌを有し、ネジ軸９６２Ｌがワッシャー５４１Ｌ、貫通孔５３３Ｌ、抜け止めワッシャー５４２Ｌ及び器具側貫通孔２１０を貫通し、ネジ軸９６２Ｌの先端部分が器具本体２００にねじ込まれることによって腕部５３Ｌの一部を器具側平板部２３０に押し付けるネジ９６Ｌを備える。【選択図】図３４
2019036560.tif 000002
【特許請求の範囲】
【請求項１】
器具貫通孔が形成された平板部を有する器具本体に取付けられるライトユニットであって、
前記平板部と一部が接する腕部を有する取付具と、
前記腕部と前記平板部との間に配置される抜け止めワッシャーと、
前記腕部を挟んで前記抜け止めワッシャーの反対側に配置されるワッシャーと、
ネジ溝が形成されたネジ軸及びネジ頭を有し、前記ネジ軸が前記ワッシャー、前記腕部に形成された貫通孔、前記抜け止めワッシャー、及び前記器具貫通孔を貫通し、前記ネジ軸の先端部分が前記器具本体にねじ込まれることによって前記腕部の前記一部を前記平板部に押し付けるネジと、
を備えたライトユニット。
【請求項２】
前記抜け止めワッシャーは、
前記ライトユニットの側へ落ち込むように前記腕部に形成された凹み部に配置される請求項１に記載のライトユニット。
【請求項３】
前記凹み部の凹む深さ寸法は、
前記抜け止めワッシャーの厚さ寸法以上である請求項２に記載のライトユニット。
【請求項４】
前記ネジは、
前記器具本体が有する相手部品にねじ込まれる請求項１から請求項３のいずれか一項に記載のライトユニット。
【請求項５】
前記ライトユニットが包装された状態において、
前記ワッシャー、前記抜け止めワッシャー、及び前記ネジは、
前記取付具に対して一体に取り付けられている請求項１から請求項４のいずれか一項に記載のライトユニット。
【請求項６】
前記器具本体と、
請求項１から請求項５のいずれか一項に記載のライトユニットと
を備えた照明装置。
【発明の詳細な説明】
【技術分野】
【０００１】
この発明はライトユニット及び照明装置に関する。
【背景技術】
【０００２】
ネジを用いて建物や列車の天井等に取付けて使用される照明器具が開示されている。（例えば、特許文献１を参照。）
【先行技術文献】
【特許文献】
【０００３】
【特許文献１】特開２０１１−０７０９４０号公報
【特許文献２】特開２００６−１７２８９３号公報
【特許文献３】実開昭６２−８９５１６号
【特許文献４】実開昭６１−１８８０１２号
【特許文献５】特開２０１４−１４９０６６号公報
【特許文献６】実開昭５５−８０５１４号
【発明の概要】
【発明が解決しようとする課題】
【０００４】
しかしながら、従来、ネジは、照明器具と分離された状態で個別に包装してから照明器具と同梱されており、照明器具を取り付けるためにネジを取り出して使用する場合に、ネジを落下させてしまうおそれがあり、ネジを落下させないようにマグネットドライバなどの特殊工具を用いる必要があった。また、ネジを紛失した場合には、照明器具を適正に取り付けることができなくなり、照明器具の施工を妨げる要因となる。
【０００５】
本発明は、照明器具本体にライトユニットを取り付ける際に、ネジを落下させたり紛失させたりすることがない、ライトユニット、及び照明装置を提供することである。
【課題を解決するための手段】
【０００６】
この発明の一態様に係るライトユニットは、
器具貫通孔が形成された平板部を有する器具本体に取付けられるライトユニットであって、
前記平板部と一部が接する腕部を有する取付具と、
前記腕部と前記平板部との間に配置される抜け止めワッシャーと、
前記腕部を挟んで前記抜け止めワッシャーの反対側に配置されるワッシャーと、
ネジ溝が形成されたネジ軸及びネジ頭を有し、前記ネジ軸が前記ワッシャー、前記腕部に形成された貫通孔、前記抜け止めワッシャー、及び前記器具貫通孔を貫通し、前記ネジ軸の先端部分が前記器具本体にねじ込まれることによって前記腕部の前記一部を前記平板部に押し付けるネジと、
を備える。
【発明の効果】
【０００７】
本発明によれば、照明器具本体にライトユニットを取り付ける際に、ネジを落下させたり紛失させたりすることがない、ライトユニット、及び照明装置を提供することができる。
【図面の簡単な説明】
【０００８】
【図１】実施の形態１の図で、照明装置３００の斜視図。
【図２】実施の形態１の図で、照明装置３００をライトユニット１００と器具本体２００とに分解した斜視図。
【図３】実施の形態１の図で、ライトユニット１００を分解した斜視図。
【図４】実施の形態１の図で、ライトユニット１００の上面図、正面図、底面図。
【図５】実施の形態１の図で、図１（図８）のＡ−Ａ断面図及び図４の上面図のＢ−Ｂ断面図。
【図６】実施の形態１の図で、ライトユニット１００の左側面図。
【図７】実施の形態１の図で、図４の正面図のＣ−Ｃ断面図。
【図８】実施の形態１の図で、図５の正面図のＤ−Ｄ断面図。
【図９】実施の形態１の図で、カバーパッキン２０Ｌ，２０Ｒの斜視図。
【図１０】実施の形態１の図で、端部カバー３０Ｒ，３０Ｌの斜視図。
【図１１】実施の形態１の図で、Ａ−Ａ断面の一部拡大図。
【図１２】実施の形態１の図で、ライトユニット１００の中央の取付けを説明する図。
【図１３】実施の形態１の図で、ライトユニット１００の中央の取付けを説明するための別の図。
【図１４】実施の形態１の図で、ライトユニット１００の左端部の取付けを説明する図。
【図１５】実施の形態１の図で、防水型電源装置の分解斜視図。
【図１６】実施の形態１の図で、防水型電源装置へのパッキンの装着を説明する図。
【図１７】実施の形態１の図で、ライトユニット１００の部分的な上面図。
【図１８】実施の形態１の図で、照明装置３００の排水性（排液性）を説明する図。
【図１９】実施の形態２の図で、照明装置３００のバリエーション。
【図２０】実施の形態２の図で、照明装置３００のバリエーション。
【図２１】実施の形態２の図で、照明装置３００のバリエーション。
【図２２】実施の形態２の図で、照明装置３００のバリエーション。
【図２３】実施の形態２の図で、２つのライトユニット１００を用いた照明装置３００−２の斜視図。
【図２４】実施の形態３の図で、排水孔３８Ｌ−１を示す図。
【図２５】実施の形態３の図で、端部カバー３０Ｒ−１の斜視図。
【図２６】実施の形態３の図で、端部カバー３０Ｌ−１の斜視図。
【図２７】実施の形態３の図で、端部カバー３０Ｌ−１の断面図。
【図２８】実施の形態３の図で、取付金具５０Ｌ−１の端部カバー３０Ｌ−１への装着状態を示す斜視図。
【図２９】実施の形態３の図で、端部カバー３０Ｌ−１の筒状ガイド３９０Ｌ、取付金具５０Ｌ−１の側面部５１１Ｌを示す断面図。
【図３０】実施の形態３の図で、図２９のＥ−Ｅ断面図。
【図３１】実施の形態３の図で、端部カバー３０Ｌ−１における排水性を説明する図。
【図３２】実施の形態４の図で、（ａ）フレーム６０−１の斜視図及び（ｂ）Ｘ方向矢視図。
【図３３】実施の形態４の図で、図４のＣ−Ｃ断面に相当する断面図。
【図３４】実施の形態５の図で、取付金具５０Ｌ−２の器具本体２００への取り付けを示す斜視図。
【図３５】実施の形態５の図で、取付金具５０Ｌ−１−１の斜視図。
【図３６】実施の形態５の図で、図３４のＦ−Ｆ断面図。
【図３７】実施の形態６の図で、ライトユニット１００の上面図、正面図及び引掛部の拡大斜視図。
【図３８】実施の形態６の図で、フック付きワイヤー２４０を示す図。
【図３９】実施の形態６の図で、ライトユニット１００の器具本体２００への取り付け工程を示す図。
【図４０】実施の形態６の図で、引掛部の配置を示す上面図の概略図。
【発明を実施するための形態】
【０００９】
実施の形態１．
以下に説明する実施の形態１の照明装置３００は、ライトユニット１００と器具本体２００とを備える。照明装置３００は、主に以下の特徴を有する。
（１）ライトユニット１００は、使用環境温度に対応して発生する、ＬＥＤ（光源）が実装されたＬＥＤ基板（光源基板）を収納する透光カバー１０の長手方向における熱膨張と、透光カバー１０が取り付けられるフレーム６０の長手方向における熱膨張との差を、簡易な構成で吸収する。これによりライトユニット１００の信頼性と作業性を向上させる。また、透光カバー１０の防水性（水密性）も確保する。これにより、ライトユニット１００は、作業性を向上しつつ防水性（水密性）を高め、水などの液体の浸入に伴う故障のおそれを低減させる。
（２）ライトユニット１００は、ＬＥＤ基板と、ＬＥＤ基板に電力を供給する電源装置とが、別々の防水ケースに収納される。これにより、ＬＥＤ基板と電源装置とを一つのケースに収納する場合と比較して相互の温度上昇の影響が抑制され、ライトユニット１００の信頼性を向上させる。また、組み立て性とメンテナンス性を向上させる。
（３）照明装置３００は、器具本体２００の内部に水などの液体が浸入した場合でも、排水性（排液性）の良い構成を提供する。これにより、浸入した水などの液体による故障のおそれを低減させる。
（４）また防水型電源装置８０は照明装置３００を固定するための吊りボルトに干渉しないように、透光カバー１０の外側の、例えば、後述する図５（ａ）に示す吊りボルト９７Ｌ（または９８Ｌ）と、図５（ａ）において防水型電源装置８０の右側に位置する吊りボルト（これらは図示していない）との間に配置する。これにより、照明装置３００をより薄くすることができる。つまり、防水型電源装置８０を吊りボルトと干渉しない位置に配置することで照明装置３００をより薄くすることができる。
【００１０】
図１〜図１８を参照して実施の形態１の照明装置３００を説明する。以下に説明する照明装置３００は、長手方向における左側端部１１Ｌ（図１）及び右側端部１１Ｒにおける、透光カバー１０のフレーム６０への取付構成及び、カバーパッキン２０Ｌ，２０Ｒと端部カバー３０Ｌ，３０Ｒによる閉塞構成に特徴がある。
【００１１】
図１は、照明装置３００の斜視図である。図２は、照明装置３００をライトユニット１００と器具本体２００とに分解した斜視図である。図３は、ライトユニット１００を分解した斜視図である。図３に示した方向を上側、下側とよぶ。図４（ａ）（ｂ）（ｃ）は、それぞれ、ライトユニット１００の上面図、正面図、底面図である。図５（ａ）は照明装置３００のＡ−Ａ断面図（図１）であり、図５（ｂ）はライトユニット１００のＢ−Ｂ断面図（図４（ａ））である。図６はライトユニット１００の左側面図である。図７はライトユニット１００のＣ−Ｃ断面図（図４（ｂ））である。Ｃ−Ｃ断面はライトユニット１００の長手方向における中央部分の断面である。図８は照明装置３００（ライトユニット１００を器具本体２００に取り付けたもの）のＤ−Ｄ断面図（図５（ａ））である。Ｄ−Ｄ断面の具体的な位置は、図１１に示すようにカバーパッキン２０Ｌの厚みをわずかに切り取るような位置における断面である。
【００１２】
（照明装置３００の構成概要）
図１、図２に示すように、照明装置３００は、ライトユニット１００と器具本体２００とを備えている。ライトユニット１００は、ネジ貫通孔３４Ｌ，３４Ｒを貫通するネジ９６Ｌ、ネジ９６Ｒによって器具本体２００に取り付けられる。ネジ貫通孔３４Ｌ，３４Ｒはキャップ９０Ｌ，９０Ｒで蓋がされる。
【００１３】
図３に示すように、ライトユニット１００は、透光カバー１０、カバーパッキン２０Ｌ（第一のパッキン）、カバーパッキン２０Ｒ（第二のパッキン）、端部カバー３０Ｌ（第一の端部カバー）、端部カバー３０Ｒ（第二の端部カバー）、カバー固定具４０Ｌ（第一の取付具）、カバー固定具４０Ｒ（第二の取付具）、取付金具５０Ｌ，５０Ｒ（第三の取付具）、フレーム６０、特殊ネジ７０Ｌ、特殊ネジ７０Ｒ、防水型電源装置８０、キャップ９０Ｌ，９０Ｒ等を備えている。
【００１４】
図２、図３、図１０、図１１、図１４を参照してライトユニット１００の組み立てについて説明する。透光カバー１０の内部には、光源であるＬＥＤ（図示しない）が実装されたＬＥＤ基板９が取り付けられたＬＥＤ基板用フレーム８が収納される。以下、左側端部１１Ｌを例にして説明する。透光カバー１０にＬＥＤ基板用フレーム８が収納された状態で、ＬＥＤ基板用フレーム８の端部にハーネス収納ゴム９１が装着される。次に、透光カバー１０の開口１２Ｌを塞ぐカバーパッキン２０Ｌが、取り付けられる。次に、端部カバー３０Ｌが、カバーパッキン２０Ｌを覆うように、透光カバー１０に取り付けられる（図１１）。
【００１５】
次に、カバー固定具４０Ｌの差込部４２Ｌ（図１１）が、端部カバー３０Ｌの端部カバー被差込部３５Ｌ（図１０、図１１）及び透光カバー１０のカバー被差込部１３Ｌ（図１１、図１４）に差し込まれる。次に、カバー固定具４０Ｌに、差し込み方向と逆方向への抜け防止のストッパーネジ９４Ｌが取り付けられる。次に、左側端部１１Ｌの上面側に、透光カバー１０を器具本体２００に取り付けるための取付金具５０Ｌが被せられる。以上が、左側端部１１Ｌの説明であるが右側端部１１Ｒも同様である。次に、取付金具５０Ｌ，５０Ｒの上側からフレーム６０が被せられ、特殊ネジ７０Ｌ，７０Ｒが、カバー固定具４０Ｌ，４０Ｒのネジ孔４１Ｌ，４１Ｒに締め込まれて、フレーム６０に対して透光カバー１０が装着される。次に、取付金具５０Ｌ，５０Ｒが、ネジ９６Ｌ，９６Ｒによって器具本体２００に取り付けられることで、ライトユニット１００が器具本体２００に取り付けられる（図２）。なお、上記で述べた組み立ての順序は一例であり、これ以外の順序でもよい。
【００１６】
続いて、ライトユニット１００の各構成要素について図面を用いて説明する。
（透光カバー１０）
図３に示すように、透光カバー１０は、両端が開口した長尺状の中空体（筒体）である。透光カバー１０は、光源であるＬＥＤから発せられる光を透過するように透光性の材料を形成されており、例えばアクリルを用いた押し出し成型によって製造される。図３に示すように、透光カバー１０には、長手方向おけるカバー固定板９３の左右に、突設部１４−１Ｌ，１４−２Ｌ，１４−３Ｌ，１４−４Ｌ及び１４−１Ｒ，１４−２Ｒ，１４−３Ｒ，１４−４Ｒと、カバー固定板９３のある中央部分に突設部１４−５Ｃが形成されている。左端の突設部１４−１Ｌから右端の突設部１４−１Ｒまで長手方向に連続している突設部のうち突設部１４−１Ｌと突設部１４−２Ｌとの間等を切除したような形状の構成である。
図１２（ａ）はライトユニット１００の中央部分の上面図であり、フレーム６０の一部を切除して突設部１４−５Ｃが見えるようにした図である。図１２（ｂ）は中央部の突設部１４−５Ｃを示す斜視図である。突設部１４−５Ｃは、断面がＦ字形状の対によりなる。突設部１４−１Ｌ，１４−２Ｌ，１４−３Ｌ，１４−４Ｌ及び突設部１４−１Ｒ，１４−２Ｒ，１４−３Ｒ，１４−４Ｒは、突設部１４−５Ｃと断面が同一形状である。但し、本実施の形態では長手方向の長さは異なる。突設部１４−５ＣではＦ字形状の対による隙間に長手方向に沿ってカバー固定板９３Ｃが差し込まれる。図１２（ｂ）に示すように、カバー固定板９３Ｃにはネジ９６Ｃが締め込まれるネジ孔９３Ｃ−１が形成されている。
【００１７】
（カバー被差込部１３Ｌ，１３Ｒ）
また、透光カバー１０は、左側端部１１Ｌに形成されたカバー被差込部１３Ｌ（第一の取付部）と、右側端部１１Ｒに形成されたカバー被差込部１３Ｒ（第一の取付部）とを有する。カバー被差込部１３Ｌ、カバー被差込部１３Ｒは、突設部１４−１Ｌ、突設部１４−１Ｒである（図３）。カバー被差込部１３Ｌ及びカバー被差込部１３Ｒの長手方向の長さは、突設部１４−５Ｃの長手方向の長さに対して短い。カバー被差込部１３Ｌは、左側端部１１Ｌに配置され、突設部１４−５Ｃ（図１２）と同様に、Ｆ字形の対による隙間に長手方向に沿ってカバー固定具４０Ｌの差込部４２Ｌが差し込まれる（図１１）。カバー被差込部１３Ｒは、右側端部１１Ｒに配置され、突設部１４−５Ｃ（図１２）及びカバー被差込部１３Ｌ（図１１）と同様に、Ｆ字形の対による隙間に長手方向に沿ってカバー固定具４０Ｒの差込部４２Ｒが差し込まれる。
【００１８】
（カバーパッキン２０Ｌ，２０Ｒ）
図９（ａ）（ｂ）は図３のカバーパッキン２０Ｌ，２０Ｒを拡大した図である。本実施の形態では、左側のカバーパッキン２０Ｌ、右側のカバーパッキン２０Ｒは同じ構造形状のものが使用される。図９（ｂ）に示すように、カバーパッキン２０Ｒは透光カバー１０の内部側となる側に、全周にわたって窪む窪み部２１Ｒが形成されている。窪み部２１Ｒに透光カバー１０の右側端部１１Ｒの先端が嵌る。窪み部２１Ｌで説明すれば、図８、図１１に示すように、窪み部２１Ｌは、透光カバー１０の外郭と内壁とに接するように取り付けられる。図１１（Ａ−Ａ断面）に示すように、カバーパッキン２０Ｌは、窪み部２１Ｌが「コの字形状」の枠体を形成し、「コの字形状」（窪み部２１Ｌ）の間に透光カバー１０の端部が入り込む構造である。このような構造によってカバーパッキン２０Ｌは透光カバー１０の開口１２Ｌを塞ぐ。カバーパッキン２０Ｒも同様である。
【００１９】
（端部カバー３０Ｌ，３０Ｒ）
図１０（ａ）（ｂ）は図３の端部カバー３０Ｌ，３０Ｒを拡大した図である。本実施の形態では、左右の端部カバーは同じ構造形状のものが使用される。端部カバー３０Ｌは、カバーパッキン２０Ｌを収納する収納部３１Ｌ（第一の収納部）を有し、収納部３１Ｌによってカバーパッキン２０Ｌとともに透光カバー１０の開口１２Ｌを塞ぐ。また、端部カバー３０Ｒは、カバーパッキン２０Ｒを収納する収納部３１Ｒ（第二の収納部）を有し、収納部３１Ｒによってカバーパッキン２０Ｒとともに透光カバー１０の開口１２Ｒを塞ぐ。
なお、左右の端部カバー３０Ｌは、カバーパッキン２０Ｌとの間に発生した僅かに隙間に水などの液体が入り込んだ場合に、この水などの液体を外部に排出するための排水孔３８Ｌ（排液孔）を有する（図６、図１０（ａ），図１１）。端部カバー３０Ｒも同様に、排水孔３８Ｌ（排液孔、図示していない）を有する。
【００２０】
（カバー固定具４０Ｌ，４０Ｒ）
次に、カバー固定具４０Ｌ，４０Ｒを説明する。本実施の形態では、カバー固定具４０Ｒはカバー固定具４０Ｌと同じ構造形状であるので、カバー固定具４０Ｌについて説明し、カバー固定具４０Ｒの説明は省略する。図３に示すように、カバー固定具４０Ｌは外観がＬ字形状である。カバー固定具４０Ｌは、特殊ネジ７０Ｌが締め込まれるネジ孔４１Ｌを有する。
図１１は、Ａ−Ａ断面の一部拡大図である。図１１に示すように、カバー固定具４０Ｌは差込部４２Ｌ（第一の差込部）、延長部４３Ｌ（第一の延長部）、対向部４４Ｌ（第一の対向部）を有する。なおカバー固定具４０Ｒも、差込部４２Ｒ（第二の差込部）、延長部４３Ｒ（第二の延長部）、対向部４４Ｒ（第二の対向部）を有する。差込部４２Ｌは「平板形状」をなし、カバー被差込部１３Ｌ（第一の取付部）に差し込まれる。延長部４３Ｌは、差込部４２Ｌから左側端部１１Ｌに向かう方向へ延びる。対向部４４Ｌは、延長部４３Ｌから折れ曲がり端部カバー３０Ｌと対向する。
【００２１】
（取付金具５０Ｌ，５０Ｒ）
次に、取付金具５０Ｌ，５０Ｒを説明する。本実施の形態では、取付金具５０Ｒは取付金具５０Ｌと同じ構造形状であるので、取付金具５０Ｌについて説明し、取付金具５０Ｒの説明は省略する。図３に示すように、取付金具５０Ｌは、フレーム６０の下面側に重ねられる平板部５１Ｌ、平板部５１Ｌの両側から長手方向に沿って起立する側面部５２Ｌ、平板部５１Ｌの左側端部１１ＬでＬ字形状に形成された腕部５３Ｌを有する。また取付金具５０Ｌは、フレーム６０に形成された長孔６０Ｌと重なる長孔５４Ｌが形成されている。
【００２２】
（フレーム６０）
図３に示すように、フレーム６０は、長尺状をなし、透光カバー１０が取り付けられるフレームである。フレーム６０は、平坦な平板部６２、平板部６２の両側から長手方向に沿って下側方向に起立する側面部６３を有する。図７に示すように、フレーム６０の断面形状は、「コの字形状」である。側面部６３の先端は、約９０度、内側に折れ曲っており、取付金具５０Ｌ，５０Ｒを収納する際の位置決めの機能を有する。フレーム６０は、中央部分に貫通孔６５Ｃが形成された凹み部６４を有する。これは、ネジ９６Ｃの頭部が防水型電源装置８０の底面に干渉しないように、ネジ９６Ｃの頭部の位置を下げるための構造である。図１３に凹み部６４の拡大図を示した。
【００２３】
（特殊ネジ７０Ｌ，７０Ｒ）
本実施の形態では、特殊ネジ７０Ｒは特殊ネジ７０Ｌと同じ構造形状であるので特殊ネジ７０Ｌについて説明し、特殊ネジ７０Ｒの説明は省略する。図３に示す特殊ネジ７０Ｌは段付きネジである。図１１に示すように、頭部のフランジ部分がフレーム６０を押し付け、雄ネジがカバー固定具４０Ｌのネジ孔４１Ｌに締め込まれることで、透光カバー１０をフレーム６０に取り付ける。
【００２４】
（防水型電源装置８０）
図３に示すように、フレーム６０の平板部６２の上側には防水型電源装置８０が取り付けられる。図１５は防水型電源装置８０の分解斜視図である。防水型電源装置８０は、電源装置用ケース本体８１、パッキン８２−１（第一の電源装置用ケースパッキン）、パッキン８２−２（第二の電源装置用ケースパッキン）、パッキン固定具８３−１（第一の固定具）、パッキン固定具８３−２（第二の固定具）を備えている。電源装置用ケース本体８１は両端が開口する中空体であり、ＬＥＤに電力を供給する電源装置（図示していない）を収納する。パッキン８２−１は電源装置用ケース本体８１の一方の開口を塞ぎ、パッキン８２−２は電源装置用ケース本体８１の他方の開口を塞ぐ。パッキン固定具８３−１はパッキン８２−１を固定し、パッキン固定具８３−２はパッキン８２−２を固定する。パッキン固定具８３−１は、ネジ８４によって、電源装置用ケース本体８１の両側に設けられたネジ孔８５に締め込まれることで、パッキン８２−１を電源装置用ケース本体８１に固定する。図１６は、パッキン固定具８３−１の寸法Ａ、パッキン８２−１の外側寸法Ｂ、パッキン８２−１の内側寸法Ｃ、電源装置用ケース本体８１の内部寸法Ｄを模式的に示す。図１６において、Ａ＞Ｂ，Ｃ＜Ｄかつ（Ａ−Ｂ）−（Ｄ−Ｃ）＞０の関係である。なお図１６においてＡ〜Ｄに対応する奥行き方向（短手方向）の寸法をａ，ｂ，ｃ，ｄとした場合、つまり、パッキン固定具８３−１を縦Ａ（ｍｍ）、横ａ（ｍｍ）の矩形、パッキン８２−１の外側を縦Ｂ（ｍｍ）、横ｂ（ｍｍ）の矩形、パッキン８２−１の内側（電源装置用ケース本体８１側）を縦Ｃ（ｍｍ）、横ｃ（ｍｍ）の矩形、電源装置用ケース本体８１の開口を縦Ｄ（ｍｍ）、横ｄ（ｍｍ）の矩形と想定した場合、奥行き方向も、ａ＞ｂ，ｃ＜ｄかつ（ａ−ｂ）−（ｄ−ｃ）＞０の関係である。パッキン固定具８３−２側も同様である。このような寸法Ａ〜寸法Ｄ及び寸法ａ〜寸法ｄの関係を設定すると、パッキン８２−１，８２−２を電源装置用ケース本体８１の端部に押し当てることによって得られる防水性能に加えて、さらに高い防水性（水密性）を得ることができる。
【００２５】
（キャップ９０Ｌ，９０Ｒ）
図３に示すように、ネジ９６Ｌが貫通する端部カバー３０Ｌのネジ貫通孔３４Ｌは、キャップ９０Ｌを取り付けることによって蓋がされる。これにより意匠性を向上させる。キャップ９０Ｒも同様の作用効果を有するものである。
【００２６】
（熱膨張の膨張量の差の吸収）
ライトユニット１００は、透光カバー１０の長手方向における熱膨張と、透光カバー１０が取り付けられるフレーム６０の長手方向における熱膨張との差を、簡易な構成で吸収する。図３、図１１、図１３、図１７を参照して、この簡易な構成を以下に説明する。上述のように、カバー固定具４０Ｌ、カバー固定板９３Ｃ、カバー固定具４０Ｒに対して、それぞれ特殊ネジ７０Ｌ、ネジ９６Ｃ、特殊ネジ７０Ｒをフレーム６０の上側から締め付けることで、透光カバー１０はフレーム６０に装着される。この際、ネジ９６Ｃの軸が貫通する貫通孔６５Ｃ（図１３）は、ネジ９６Ｃの軸径が貫通できる程度の大きさである。図３に示すように、カバー固定具４０Ｌ、カバー固定具４０Ｒは、取付金具５０Ｌ、５０Ｒを挟んで上からフレーム６０が装着される。図１７は、ライトユニット１００の上面図であり、フレーム６０の長孔６１Ｌと取付金具５０Ｌの長孔５４Ｌとの関係を示す図である。二点鎖線で特殊ネジ７０Ｌの段付きネジ部の太い方の軸を示した。長孔６１Ｌ、長孔５４Ｌからはカバー固定具４０Ｌのネジ孔４１Ｌが見えている。図１７に示すように、長孔６１Ｌの方が長孔５４Ｌよりも短い。長孔６１Ｌは図１７の上面図では長孔５４Ｌの内部に含まれる。フレーム６０の長孔６１Ｌ（第一の切欠部）は、長手方向に沿って細長い楕円形状に切り欠かれ、長手方向においてネジ孔４１Ｌ（第一のネジ孔）から左側端部１１Ｌに向かう方向とネジ孔４１Ｌから右側端部１１Ｒに向かう方向との両方向に切り欠かれた領域６１Ｌ−１，６１Ｌ−２が存在するようにネジ孔４１Ｌを露出させる。フレーム６０の長孔６１Ｒ（第二の切欠部）も同様である。なお、長孔６１Ｌは左端部が切除された切欠き形状でも構わない。
【００２７】
図１１に示す組み立てられた状態で使用環境温度が上昇すると、フレーム６０、透光カバー１０が長手方向に膨張する。また、透光カバー１０は吸湿によっても膨張する。例えば透光カバー１０がアクリル製で、フレーム６０がアルミ製であり、透光カバー１０の全長が１．２ｍ程度の場合、想定される使用環境条件（温度、湿度）の変化に伴って、透光カバー１０はフレーム６０よりも長手方向に１０ｍｍ程度大きく膨張または収縮する。ライトユニット１００は長手方向の中央でフレーム６０に長孔ではない貫通孔６５Ｃを貫通するネジ９６Ｃで止められるので、貫通孔６５Ｃを基準とする長手方向の左右の膨張量（あるいは収縮量）はそれぞれ約５ｍｍ程度である。この５ｍｍの膨張（あるいは収縮）を図１７に示す切り欠かれた領域６１Ｌ−１，６１Ｌ−２、及び切り欠かれた領域６１Ｒ−１，６１Ｒ−２（図示していない）が吸収する。透光カバー１０が膨張（あるいは収縮）する際、図１１において透光カバー１０、カバー固定具４０Ｌ、特殊ネジ７０Ｌはほぼ一体となって変位する。
【００２８】
（水密性）
長手方向の膨張量の差を吸収する構成に使用されるカバー固定具４０Ｌは、先端の対向部４４Ｌで、端部カバー３０Ｌのはずれを防止する。カバー固定具４０Ｌの差込部４２Ｌ、延長部４３Ｌを合わせた長手方向長さ４７Ｌは１２０ｍｍ程度であり、その部分の透光カバー１０の膨張量は１ｍｍ程度である。この程度の膨張または収縮はカバーパッキン２０Ｌの弾性変形で吸収可能な量である。カバー固定具４０Ｒも同様の作用効果を有するものである。
【００２９】
（カバー固定具４０Ｌの移動防止）
図１４はライトユニット１００の左側端部１１Ｌの上面図であり、カバー固定具４０Ｌを露出させた図である。カバー固定具４０Ｌは、二つのストッパーネジ９４Ｌが締め込まれる。カバー固定具４０Ｌが透光カバー１０に対して左方向へ移動するとストッパーネジ９４Ｌがカバー被差込部１３Ｌに当たり、左方向への移動が止められる。カバー固定具４０Ｌが透光カバー１０に対して右方向へ移動した場合は、対向部４４Ｌが端部カバー３０Ｌに当たり右方向への移動が止められる。カバー固定具４０Ｒも同様である。
【００３０】
（端部カバー３０Ｌ，３０Ｒの機能）
図１０に示すように、端部カバー３０Ｒは、透光カバー１０の右側端部１１Ｒの外周の少なくとも一部に対向する外周対向部３２Ｒ（第二の外周対向部）と、透光カバー１０の右側端部１１Ｒの内周の少なくとも一部に対向する内周対向部３３Ｒ（第二の内周対向部）とを備える。同様に、端部カバー３０Ｌも外周対向部３２Ｌ（第一の外周対向部）、内周対向部３３Ｌ（第一の内周対向部）を備える。図１１に示すように、端部カバー３０Ｌは外周対向部３２Ｌ、内周対向部３３Ｒによって、カバーパッキン２０Ｌと共に透光カバー１０の端部を抑え込む。これによってカバーパッキン２０Ｌと透光カバー１０の端部との密着性を維持し、かつ、透光カバー１０の変形を防止する。このような構成によって、透光カバー１０は防水性（水密性）を有するものとなる。また、端部カバー３０Ｌは、図１４の説明で述べたように、カバー固定具４０Ｌが透光カバー１０に対して左方向へ移動するとストッパーネジ９４Ｌがカバー被差込部１３Ｌに当たって左方向への移動が止められ、カバー固定具４０Ｌが透光カバー１０に対して右方向へ移動した場合は対向部４４Ｌが端部カバー３０Ｌに当たり右方向への移動が止められる。つまり、これを端部カバー３０Ｌの側からみれば、端部カバー３０Ｌの長手方向のスライド幅は、カバー固定具４０Ｌによって規制される。また、図１１に示すように、ネジ９６Ｌが貫通する貫通孔３６Ｌが形成された貫通孔形成部位３７Ｌと、カバー固定具４０Ｌの対向部４４Ｌの先端とが近接している。このため、端部カバー３０Ｌがスライドする際に上下方向へ反れるロール運動は、対向部４４Ｌの先端が貫通孔形成部位３７Ｌと干渉することで規制することができる。端部カバー３０Ｒも同様である。
【００３１】
（排水性（排液性））
図１８は、照明装置３００のＣ−Ｃ断面を示す図である。図２に示すように、器具本体２００は、ライトユニット１００を収納する収納口となる開口２０１が長手方向に沿って形成され、開口２０１の一つの縁２０２が透光カバー１０の長手方向に沿って透光カバー１０と隙間をなし、この一つの縁２０２に対向する別の縁２０３が透光カバー１０の長手方向に沿って透光カバーと隙間をなしている。図１８ではＣ−Ｃ断面における透光カバー１０と器具本体２００との隙間は０．６ｍｍ程度であり、Ｄ−Ｄ断面における器具本体２００と端部カバー３０Ｌとの隙間は１ｍｍ程度である。このような隙間により、器具本体に浸入した水などの液体を排出する排水性（排液性）を高めることができる。
また、透光カバー１０の幅手方向（短手方向）の中央部分が頂点となるように幅手方向端部にかけて肩下がりとなる傾斜面１５（図７、図１８）を形成している。この傾斜面１５を形成することにより、透光カバー１０の上面に付着する油煙、水滴（液滴）は傾斜面１５に沿って滴り落ちるため、排水性（排液性）を高めることができる。また、突設部１４−１Ｌ，１４−１Ｒ，１４−５Ｃは長手方向に対して連結させずに３つのブロックに分けているため、この突設部１４−１Ｌ，１４−１Ｒ，１４−５Ｃに付着する油煙、水（液）滴は、突設部１４−１Ｌ，１４−１Ｒ，１４−５Ｃに溜まらずに前述の幅手方向の傾斜面１５に沿って滴り落ちやすくなり、排水性（排液性）を高めることができる。
【００３２】
実施の形態２．
図１９〜図２３を参照して実施の形態２を説明する。実施の形態２は、実施の形態１の照明装置３００のバリエーションを説明する。図１９、図２０、図２１、図２２は、それぞれ、トラフタイプ、笠付タイプ、Ｖ形タイプ１、Ｖ形タイプ２の照明装置である。図１９のトラフタイプは実施の形態１の照明装置３００である。図１９の（ａ），（ｂ），（ｃ）はそれぞれ、左側面図、Ｃ−Ｃ断面図相当、Ｄ−Ｄ断面図である。Ｃ−Ｃ断面図相当とするのは、Ｃ−Ｃ断面図はライトユニット１００の断面図であり図１９（ｂ）は照明装置の断面図だからである。図２０〜図２２も同様である。これらの照明装置は照明装置３００に対して器具本体の形状が異なるが、ライトユニットは実施の形態１のライトユニット１００と同様である。なお図１９〜図２１の照明装置では、カバーパッキンのハーネス引出孔の位置がライトユニット１００と異なっている。
【００３３】
（１）以上に説明した照明装置３００によれば、図１７に示すように特殊ネジ７０Ｌの両側には切り欠かれた領域６１Ｌ−１，６１Ｌ−２（右側端部１１Ｒも同様）が存在するので、カバー被差込部１３Ｌ、カバー固定具４０Ｌ、フレーム６０の長孔６１Ｌ、特殊ネジ７０Ｌ等による簡易な構成で、長尺状の照明装置において、長手方向における部材間（透光カバー１０、フレーム６０等）の温度変化に伴う膨張量の差を吸収できる。また、カバー固定具４０Ｌは、カバーパッキン２０Ｌを固定している端部カバー３０Ｌの抜け止めの機能も有するので、上記構成により水密性も向上する。
（２）以上に説明した照明装置３００によれば、ＬＥＤ基板９が透光カバー１０に収納され、電源装置が電源装置用ケース本体８１に収納されるので、ＬＥＤ基板９と電源装置とが一つの防水型ケースに収納される場合に比べて温度上昇を抑えることができる。これにより温度上昇を原因とする光出力の低下を防止できる。また、要求される部品の耐熱性（温度耐性）も下がるためコスト低減をはかることができる。そして、組み立て性とメンテナンス性も向上させることができる。
（３）以上に説明した照明装置３００によれば、透光カバー１０と器具本体２００との間に長手方向において隙間を設けたので、器具本体２００に入り込んだ水などの液体を排出する排水性（排液性）を高めることができる。
（４）以上に説明した照明装置３００によれば、端部カバー３０Ｌの外周対向部３２Ｌ、内周対向部３３Ｌが透光カバー１０端部の外郭と内壁とを支持する（右側端部１１Ｒも同様）。よって、透光カバー１０端部の変形を防止することができる。
（５）以上に説明した照明装置３００によれば、防水型電源装置８０は、照明装置３００を固定するための吊りボルトに干渉しないように、透光カバー１０の外側の、２本の吊りボルトの間に配置される。これにより、照明装置３００をより薄くすることができる。照明装置３００をより薄くすることによって、照明装置３００の天井などからの張り出し寸法が抑制されるので、照明装置３００から照明空間全体により広く光を照射することができるとともに、照明空間をより広く利用することができる。
【００３４】
実施の形態３．
図２４〜図３１を参照して実施の形態３を説明する。実施の形態３は、実施の形態１及び実施の形態２で述べた、端部カバー３０Ｌ，３０Ｒ及び取付金具５０Ｌ，５０Ｒの異なる構成に関する。実施の形態３の端部カバーは端部カバー３０Ｌ−１，３０Ｒ−１とし、取付金具は取付金具５０Ｌ−１，５０Ｒ−１として説明する。
【００３５】
まず、端部カバー３０Ｌ−１を説明するが、端部カバー３０Ｒ−１も端部カバー３０Ｌ−１と同様の構成である。端部カバー３０Ｌ−１は、実施の形態１の端部カバー３０Ｌに対して、筒状ガイド３９０Ｌを有すること、排水孔３８Ｌ−１の形状を限定していること、底部の表面が排水孔３８Ｌ−１に向かって下る傾斜を有すること、が異なる。
【００３６】
図２７に示すように、端部カバー３０Ｌ−１（第一の端部カバー）は、端部カバー３０Ｌと同様に、器具本体２００に取り付けられる場合に器具本体２００への取付け用のネジ９６Ｌが通過する、ネジ貫通孔３４Ｌが形成されている。
【００３７】
図２５、図２６は、端部カバー３０Ｒ−１，３０Ｌ−１の斜視図であり、筒状ガイド３９０Ｒ，３９０Ｌを示している。断面図である図２７に示すように、端部カバー３０Ｌ−１は、器具本体２００に取り付けられた状態で底となる底部３１０Ｌと、矢印３１４Ｌで示す方向における底部３１０Ｌの端部３１５Ｌから上方に起立し、起立し始める箇所に（円形を含む）略円形の排水孔３８Ｌ−１が形成された起立壁３２０Ｌを備えている。底部３１０Ｌは、ネジ貫通孔３４Ｌの周縁３４１Ｌからネジ９６Ｌが通過する方向（矢印Ｚ方向）に筒状に起立する筒状ガイド３９０Ｌを有する貫通孔形成部である。端部カバー３０Ｌ−１では筒状のねじガイドである筒状ガイド３９０Ｌがネジ貫通孔３４Ｌを取り囲んでいる。図２に示すように、ライトユニット１００は、ネジ９６Ｌ，９６Ｒを用いて器具本体２００に取り付けられるが、端部カバー３０Ｌ−１ではネジ貫通孔３４Ｌの周囲を筒状ガイド３９０Ｌで囲っているのでネジ９６Ｌが筒状ガイド３９０Ｌの内部から外側へ出ることがない。すなわち、ライトユニット１００を器具本体２００に取り付ける時に、ネジ９６Ｌが端部カバー３０Ｌ−１の内部に落下するおそれがなくなる。端部カバー３０Ｒ−１（第二の端部カバー）及びネジ９６Ｒについても同様である。
【００３８】
図２５、図３１に示すように、筒状ガイド３９０Ｌ，３９０Ｒには筒形状の側面の縦方向（矢印Ｚ方向）にスリット３９１Ｌ，３９１Ｒが形成されている。スリット３９１Ｌは排水孔３８Ｌ−１に面する側面に形成されている。図３１は図２６をＸ方向に矢視した図であるが、図３１に示すように、筒状ガイド３９０Ｌにスリット３９１Ｌを設けたことにより、筒状ガイド３９０Ｌの内側の底部３１０Ｌの水（液体）を筒状ガイド３９０Ｌの内側に留めることなく排水孔３８Ｌ−１に排出できる。
【００３９】
また、図２５、図２６に示すように、端部カバー３０Ｒ−１，３０Ｌ−１には、ハーネスを挟んで支持するハーネス支持部３８０Ｒ，３８０Ｌが設けられている。ハーネス支持部３８０Ｒ，３８０Ｌは、２枚の壁部で形成される凹み部によって、電源装置からＬＥＤ基板９に実装されたＬＥＤ（図示しない）へ電力を供給するために設けられるハーネスを挟むように支持する構成である。なお、ハーネス支持部３８０Ｒ，３８０Ｌの形状は図示した形状に限定されない。
【００４０】
このように、端部カバー３０Ｒ−１，３０Ｌ−１に形成された筒状ガイド３９０Ｌ，３９０Ｒは、照明装置３００を組み立てる時に端部カバー３０Ｒ−１，３０Ｌ−１の内部にネジ９６Ｌ，９６Ｒが落下するおそれをなくして施工性を向上させる効果とともに、筒状ガイド３９０Ｌ，３９０Ｒによって、キャップ９０Ｌ，９０Ｒが装着されるネジ貫通孔３４Ｌ，３４Ｒからの水（液体）の浸入に対して高い水密性を確保する効果を有する。
【００４１】
次に、端部カバー３０Ｌ−１の排水孔３８Ｌ−１について説明する。図２４、図２６、図２７等に排水孔３８Ｌ−１を示している。排水孔３８Ｌ−１の開口面積は排水性を向上させた面積であり、この開口面積は２０ｍｍ２〜３０ｍｍ２であることが好ましく、本実施の形態では開口面積は２０ｍｍ２である。開口部の断面形状は任意であるが縦横比が１に近い方が好ましい。図２４に示すように、排水孔３８Ｌ−１では開口部の形状が蒲鉾形状であってもよい。このような形状にすることによって、端部カバー３０Ｌ−１の内側の水（液体）を効果的に排水させることができる。端部カバー３０Ｒ−１（第二の端部カバー）についても同様である。
【００４２】
次に、端部カバー３０Ｌ−１の底部３１０Ｌの底部表面３１１Ｌが排水孔３８Ｌ−１に向かって下る傾斜を有することを説明する。図２７に示すように、底部３１０Ｌの底部表面３１１Ｌ（表面）は、ライトユニット１００が器具本体２００に取付けられた状態において、排水孔３８Ｌ−１に向かって矢印３１４Ｌで示す方向に下り勾配となる下り勾配領域３１６Ｌ（図３１）を有する。図２７に示すように、底部表面３１１Ｌには、排水孔３８Ｌ−１に向う排水勾配（傾斜）３１２Ｌを設ける（実線矢印の向き）。排水勾配３１２Ｌはライトユニット１００を水平に、下方照射させる姿勢としたときに、端部カバー３０Ｌ−１において、図２７の底部表面３１１Ｌが概ね１度の傾斜角度で排水孔３８Ｌ−１の向きに下る勾配である。なお、傾斜角度は、排水性と成形性を考慮して決定される。図３１を参照して排水性を説明する。図３１では中央における排水勾配３１２Ｌを破線矢印で示しているが、下り勾配領域３１６Ｌでは排水勾配３１２Ｌの矢印の方に向かって低くなるので底部表面３１１Ｌの水は排水孔３８Ｌ−１に向かい、排水孔３８Ｌ−１から排出される。端部カバー３０Ｒ−１（第二の端部カバー）についても同様である。
【００４３】
次に、図２８の取付金具５０Ｌ−１を説明する。図１１に示す取付金具５０Ｌでは、ライトユニット１００が器具本体２００に取付けられた状態において、Ｌ字形状に形成された腕部５３ＬのうちＬ字の水平部が器具本体２００と接する（器具本体２００に固定される）。
【００４４】
まず図２７に示すように、端部カバー３０Ｌ−１は、実施の形態１の器具本体２００に取り付けられた状態で底となる底部３１０Ｌと、底部３１０Ｌから上方に向かって引き続いて形成される外郭３３０Ｌとを備える。そして、ライトユニット１００は、取付金具５０Ｌ−１（第三の取付具）を備える。
【００４５】
図２８の取付金具５０Ｌ−１は、腕部５３ＬのうちのＬ字の水平部５０２Ｌの両側の側端部が折り曲げて形成された、側面部５１１Ｌ，５１２Ｌを有する。図２８では破線５０１Ｌで囲んだ範囲の形状は実施の形態１の取付金具５０Ｌと異なるが、破線５０１Ｌで囲んだ範囲の形状は取付金具５０Ｌ（図３）と同じ形状でも構わない。
【００４６】
取付金具５０Ｌ−１は、取付金具５０Ｌと同様に、フレーム６０と透光カバー１０とに挟まれることによりライトユニット１００に取り付けられる（図１１）。そして、取付金具５０Ｌ−１は、側面部５１１Ｌ，５１２Ｌの先端５１３Ｌ，５１４Ｌ（端部）が端部カバー３０Ｌ−１の外郭３３０Ｌの内側となる内壁３３１Ｌを押し付けるように取り付けられる。図２９のＥ−Ｅ断面を示す図３０、及び図２９の破線楕円で囲んで示した範囲３１３Ｌのように、側面部５１１Ｌ，５１２Ｌの先端５１３，５１４は、ライトユニット１００が器具本体２００に取付けられた状態（照明装置３００が使用される状態）において、端部カバー３０Ｌ−１の内側（内壁）に当接するので、端部カバー３０Ｌ−１のガタツキが抑制される。またガタツキが抑制されるので、水密性（止水性）も向上する。取付金具５０Ｒ−１及び端部カバー３０Ｒ−１についても同様である。
【００４７】
実施の形態４．
図３２、図３３を参照して実施の形態４を説明する。実施の形態４は、実施の形態１で説明したフレーム６０とは異なる形状のフレーム６０−１に関する。実施の形態４のライトユニット１００は、透光性を有する透光カバー１０と、透光カバー１０が取り付けられるフレーム６０−１とを備える。
【００４８】
図３２、図３３に示すように、フレーム６０−１は、それぞれの側面部６３の端部が折り曲げられた、折曲部６０１，６０２（対向部）を有する。折曲部６０１，６０２はフレーム６０−１の長手方向にわたって形成されており、一面側が平板部６２に対向している。図３３に示すように、折曲部６０１，６０２の他面側は、隙間６２１，６２２（第一の隙間）を隔てて、透光カバー１０と対向する。透光カバー１０は、長尺形状であるが、図３、図３２に示すように、フレーム６０−１は、長尺形状である透光カバー１０の長手方向に沿う長尺形状をなす。折曲部６０１，６０２は、フレーム６０−１の長手方向に沿って形成される。図３３に示すように、隙間６２１，６２２は、フレーム６０の長手方向に沿って形成される。ライトユニット１００を収納する収納口となる開口２０１が透光カバー１０の長手方向に沿って形成され、開口２０１の一つの縁２０２が透光カバー１０の長手方向に沿って透光カバー１０と隙間６０６（第二の隙間）を隔てて対向し、一つの縁２０２に対向する別の縁２０３が透光カバー１０の長手方向に沿って透光カバー１０と隙間６０５（第二の隙間）を隔てて対向する。
【００４９】
（フレームの表面処理）
折曲部６０１，６０２では、ＬＥＤ基板９が配置される下側の下側表面６０３，６０４は、フレーム６０−１の素材の反射率よりも高い反射率となるように処理されている。下側表面６０３，６０４は反射率が高い白色が望ましい。下側表面６０３，６０４をフレーム６０−１の素材よりも高い反射率にする方法として、例えば、高反射塗料を塗布して乾燥硬化させる方法、高反射率のシート材を貼り付ける方法、フレーム素材がアルミニウムの場合は白アルマイト処理を施す方法などがある。下側表面６０３，６０４を高い反射率となるように処理することによって、図３３に矢印２１１，２１２で示すように、折曲部６０１，６０２の下側表面６０３，６０４で反射した光は、一つの縁２０２と透光カバー１０とで形成される隙間６０６と、別の縁２０３と透光カバー１０とで形成される隙間６０５とから、外部に照射される。
【００５０】
図３３に示すように、器具本体２００と透光カバー１０との隙間６０５，６０６からはフレーム６０−１の下側表面６０３，６０４が見える。このため、器具本体２００に取付けられたライトユニット１００が点灯中の状態において、光源であるＬＥＤ（図示しない）から発せられる光のうち、透光カバー１０から器具本体２００側に回り込む光を、下側表面６０３，６０４によって照射側に戻すことになるため、照明装置全体での光の利用効率を向上させることができる。また、隙間６０５，６０６は排水（排液）の効果があるが、隙間６０５，６０６をあらゆる角度から見ても、光が反射している下側表面６０３，６０４を見ることになるので、隙間６０５，６０６がスジ状に暗くなることがなく、ライトユニット１００が点灯中の状態における意匠性が向上する。また、隙間６２１，６２２を形成したので、隙間６２１，６２２から水を排出できる。
【００５１】
実施の形態５．
図３４〜図３６を参照して実施の形態５を説明する。実施の形態５は取付金具と器具本体との取り付け構造に関する。以下では取付金具５０Ｌ−２，５０Ｌ−１−１を中心に説明するが、取付金具５０Ｒ−２，５０Ｒ−１−１も取付金具５０Ｌ−２、５０Ｌ−１−１と同様の構成である。
【００５２】
図３４を参照して取付金具５０Ｌ−２を説明する。図３４に示すように、器具本体２００は、器具側貫通孔２１０が形成された器具側平板部２３０を有する。器具側平板部２３０に取付金具５０Ｌ−２が取り付けられる。取付金具５０Ｌ−２は図３に示す取付金具５０Ｌに対して、Ｌ字の腕部５３Ｌのうち、水平部５３１Ｌ（平板部）に、ライトユニット１００の側へ落ち込んで凹む凹み形状の凹み部５３２Ｌが形成されている。凹み部５３２Ｌには凹み形状の領域にネジ９６Ｌが貫通する貫通孔５３３Ｌが形成されている。ネジ９６Ｌは、ライトユニット１００を器具本体２００に取付けるために用いる。
【００５３】
図３６は図３４が組み立てられた状態を示し、図３４のＦ−Ｆ断面である。図３６に示すように、器具側平板部２３０の下に水平部５３１Ｌが位置し、凹み部５３２Ｌの凹みに抜け止めワッシャー５４２Ｌが配置され、凹み部５３２Ｌを挟んで抜け止めワッシャー５４２Ｌの下側（反対側）にワッシャー５４１Ｌが配置される。ネジ９６Ｌはネジ溝が形成されたネジ軸９６２Ｌと、ネジ頭９６１Ｌとを有する。ネジ９６Ｌのネジ軸９６２Ｌがワッシャー５４１Ｌ、貫通孔５３３Ｌ、抜け止めワッシャー５４２Ｌ、器具側貫通孔２１０を介して、器具側ナット２２０（相手部品）にねじ込まれることでネジ頭９６１Ｌの下面がワッシャー５４１Ｌを押し付け、取付金具５０Ｌ−２の水平部５３１Ｌが器具本体２００の器具側平板部２３０に押し付けられる。なお凹み部５３２Ｌは、抜け止めワッシャー５４２Ｌが収納される形状であれば、形状は任意である。また凹み部５３２Ｌの凹み深さ寸法Ｈは、抜け止めワッシャー５４２Ｌの厚さ寸法Ｂに応じて決定する。例えば、抜け止めワッシャー５４２Ｌの厚さ寸法Ｂが１ｍｍであれば、凹み深さ寸法Ｈは１ｍｍ、又は１ｍｍより若干大きい方が好ましい。これは、水平部５３１Ｌの上面と器具側平板部２３０の下面とが隙間なく広く密着し、強く密着されるからである。
【００５４】
ネジ９６Ｌ、ワッシャー５４１Ｌ、抜け止めワッシャー５４２Ｌは、ライトユニット１００の組立工程で取り付けられる。ネジ９６Ｌ、ワッシャー５４１Ｌ及び抜け止めワッシャー５４２Ｌは、ライトユニット１００と一体で流通させる。流通させる場合は、図３４において、凹み部５３２Ｌの下側にワッシャー５４１Ｌを配置し、ネジ軸９６２Ｌをワッシャー５４１Ｌ、貫通孔５３３Ｌを貫通させ、貫通させたネジ軸９６２Ｌに抜け止めワッシャー５４２Ｌを装着する。このようにして、ライトユニット１００は、抜け止めワッシャー５２４Ｌが取付金具５０Ｌ−２の凹み部５３２Ｌの側に配置され、ワッシャー５４１Ｌが凹み部５３２Ｌを挟んで抜け止めワッシャー５４２Ｌの反対側に配置され、ネジ９６Ｌのネジ軸９６２Ｌがワッシャー５４１Ｌ、凹み部５３２Ｌの貫通孔５３３Ｌを貫通した状態で抜け止めワッシャー５４２Ｌがネジ軸９６２Ｌに取り付けられることで、取付金具５０Ｌ−２に、ワッシャー５４１Ｌと、抜け止めワッシャー５４２Ｌと、ネジ９６Ｌとが一体に取り付けられる。
【００５５】
図３５に示すように、実施の形態３の取付金具５０Ｌ−１に凹み部５３２Ｌを設けた、取付金具５０Ｌ−１−１の構成としてもよいことは明らかである。
【００５６】
取付金具５０Ｌ−２によれば、ライトユニット１００を包装する工程において、別途個別にネジ９６Ｌを包装する必要がないので、包装作業時間を短縮し、ネジ９６の包装忘れを防止することができる。つまり、ライトユニット１００の製造工程は、簡素化及び高品質化を図ることができる。また、照明装置３００の施工において、ネジ９６Ｌはライトユニット１００と一体になっているので、ネジ９６Ｌを取り出す必要がなく、紛失するおそれもない。また、ネジ９６Ｌを締める際にマグネットドライバなどの特殊な工具を用いる必要がない。凹み部５３２Ｌを設けたので、取付金具５０Ｌ−２と器具本体２００との密着性が増大し、ライトユニット１００を器具本体２００に強固に固定することができる。また抜け止めワッシャー５４２Ｌを用いた場合でも、端部カバー３０Ｌ，３０Ｒ（３０Ｌ−１，３０Ｒ−１）の浮き、傾きが生じないので、ライトユニット１００の止水性と意匠性を確保できる。
【００５７】
実施の形態６．
図３７〜図４０を参照して実施の形態６を説明する。実施の形態６は、ライトユニット１００を器具本体２００に取り付ける際の取付け工程に関する。実施の形態６はフレーム６０−２に関する。図３８に、フック２４１とワイヤー２４２（線状体）とを有するフック付きワイヤー２４０の例を示す。フック付きワイヤー２４０では、ワイヤー２４２の先端部にフック２４１が取り付けられている。フック付きワイヤーは、図示した形態に限定されない。図３７に示すように、フレーム６０−２は、平板部６２に、フック付きワイヤー２４０のフック２４１を引っ掛けるための、引掛部６１１，６１２を有する。引掛部６１１，６１２には各フック付きワイヤー２４０が引っ掛けられる。
【００５８】
図３７（ｃ）に示すように、本実施の形態では、引掛部６１１，６１２は平板部６２の一部が切り起こされた２面で構成された屋根形状であるが、フック２４１を引っ掛けることができ、かつ、フック２４１を引っ掛けてライトユニット１００を吊り下げた状態を維持できる十分な強度を有していればよい。また、引掛部６１１，６１２は、切り起こしの他に、フック２４１を引っ掛けるための部品を、溶接やねじ止めなどの方法によって装着してもよい。
【００５９】
図３８のワイヤー端部２４３は、施工作業前に、器具本体２００に設けられたワイヤー端取付部２５０に取り付けられる。図２９にワイヤー端取付部２５０の例を示した。ワイヤー端取付部２５０は引掛部６１１，６１２に対応して、各１個ある。器具本体２００に設けられたワイヤー端取付部２５０は、フック付きワイヤー２４０を収納する収納部の機能を有してもよい。ライトユニット１００を器具本体２００に取り付ける取付工程では、それぞれのワイヤー端取付部２５０は、引掛部６１１，６１２のほぼ真上にある。ワイヤー端部２４３がワイヤー端取付部２５０に取り付けできる限りにおいて、ワイヤー端部２４３の形状や、ワイヤー端取付部２５０の構造、形状は限定されない。
【００６０】
図３７（ａ）に示すように、上面図（平面視）において、重心７０１は引掛部６１１と引掛部６１２とを結ぶ線６１６とずれるようにする。つまりライトユニット１００では、引掛部６１１，６１２どうしを結ぶ線６１６（領域相当線）は、ライトユニット１００が器具本体２００に取り付けられた状態における平面視（図３７（ａ））において、ライトユニット１００の重心７０１と重ならない。よって、一方のフック付きワイヤー２４０のフック２４１を引掛部６１１に引っ掛け、他方のフック付きワイヤー２４０のフック２４１を引掛部６１２に引っ掛けてライトユニット１００を吊り下げた状態において、引掛部６１１と引掛部６１２とを結ぶ線６１６を中心線としてまわりに力学的なモーメントが発生するので、ライトユニット１００は図３９のように傾いた状態で落ちつく。
【００６１】
また図３７（ｃ）に示すように、２つの引掛部６１１，６１２は、線６１６の方向と直交する方向にフレーム６０−２の平板部６２に切り込まれた二本の切り込みが切り起こされた形状をなす。なお実際に切り起こされていなくてもよく、例えば、フック付きワイヤー２４０のフック２４１を引っ掛けられる形状の部品を、溶接やねじ止めなどの方法を用いてフレーム６０−２の平板部６２に取付けてもよい。
【００６２】
図３７（ｃ）に示すようにフック２４１（二点鎖線で示した）は長手方向を向くように引っ掛けられるが、図３９に示すように、揺れ方向に対して直交する方向にフック２４１が引っ掛けられるので、揺れ方向にライトユニット１００が揺れてもフック２４１は引掛部６１１，６１２から外れることがない。また、ワイヤー２４２の長さは選択範囲が広いので、フック２４１を作業者の目線以下の高さで引掛部６１１，６１２に取り付けることができるようにワイヤー２４２の長さを容易に選択できる。また、力学的なモーメントによってライトユニット１００が傾き、作業者側に配線面を向けることができるので、作業者は両手を使って、安全かつ効率的に配線作業ができる。このようにライトユニット１００を器具本体２００に吊り下げて、ライトユニット１００を仮保持した状態で配線作業ができるので、ライトユニット１００を器具本体２００に取り付ける取付工程において、施工性が向上する。
【００６３】
図３７ではフレーム６０−２が２つの引掛部（引掛部６１１，６１２）を有する場合を説明したが、引掛部は３つ以上設けてもよい。図４０に示すように、引掛部を３つ以上設ける場合（図４０では４つの場合）、複数の引掛部どうしを多角形をつくるように結ぶ線に囲まれる領域（図４０では４角形６２０）は、ライトユニット１００が器具本体に取り付けられた状態における平面視において、多角形（４角形６２０）の辺上及び多角形の領域内にライトユニット１００の重心７０１を持たない。
【００６４】
なお、上述した実施の形態に係る照明装置は、使用環境条件（温度、湿度）の変化に伴って発生する、ＬＥＤ（光源）が実装されたＬＥＤ基板（光源基板）を収納する透光カバー１０の長手方向における熱膨張と、透光カバー１０が取り付けられるフレーム６０の長手方向における熱膨張との差を、ライトユニットの長手方向の（左右の）両端部で吸収する構成としているが、これに限らず、ライトユニットの長手方向の一方の端部で吸収する構成としてもよい。このような構成とすることで、さらに簡易な構成とすることができる。
【００６５】
また、上述した実施の形態に係る照明装置は、両端が開口した長尺状の中空体（筒体）である透光カバーを用い、その両端部を端部カバーとカバーパッキンとを用いて防水性（水密性）を有する構成としている。しかし、これに限らず、一方の端部が閉じた長尺状の中空体（筒体）である透光カバーを用いて、端部カバーとカバーパッキンとで、開口した他方を塞ぐ構成としてもよい。このような構成とすることで、さらに簡易に防水性（水密性）を有する構成とすることができる。
【００６６】
さらに、上述した実施の形態に係る照明装置は、それぞれ１つのライトユニットを備えるものとして説明したが、これに限らず、照明装置は、図２３に示すように、長手方向に複数のライトユニットを備える照明装置であってもよい。図２３は、２つのライトユニット１００が器具本体２００−２に装着された照明装置３００−２を示す斜視図である。図２３では左右のライトユニットの間に、長手方向の膨張を吸収する隙間が設けてある。照明装置は図２３の場合に限らず、３つ以上のライトユニットを有する構成でも構わない。また、照明装置は、短手方向（横手方向）に複数のライトユニットを備える照明装置であってもよい。さらに、照明装置は、斜め方向に複数のライトユニットを備えるものであってもよい。ここで斜め方向とは、例えば短手方向に２つのライトユニットを並べた状態で、一方のライトユニットを長手方向にずらしたような配置である。このように一つの照明装置が複数のライトユニットを有する構成によって、さらに簡易な構成とすることができる。
【００６７】
以上、本発明の実施の形態１〜６について説明したが、これらの実施の形態を組み合わせて実施しても構わない。あるいは、これらの実施の形態のうち、１つを部分的に実施しても構わない。あるいは、これらの実施の形態を部分的に組み合わせて実施しても構わない。なお、本発明は、これらの実施の形態に限定されるものではなく、必要に応じて種々の変更が可能である。
【符号の説明】
【００６８】
８  ＬＥＤ基板用フレーム、９  ＬＥＤ基板、１０  透光カバー、１１Ｌ  左側端部、１１Ｒ  右側端部、１２Ｌ，１２Ｒ  開口、１３Ｌ，１３Ｒ  カバー被差込部、１４−１Ｌ，１４−２Ｌ，１４−３Ｌ，１４−４Ｌ，１４−１Ｒ，１４−２Ｒ，１４−３Ｒ，１４−４Ｒ，１４−５  突設部、１５  傾斜面、２０Ｌ，２０Ｒ  カバーパッキン、２１Ｌ，２１Ｒ  窪み部、３０Ｌ，３０Ｒ，３０Ｌ−１，３０Ｒ−１  端部カバー、３１Ｌ，３１Ｒ  収納部、３２Ｌ，３２Ｒ  外周対向部、３３Ｌ，３３Ｒ  内周対向部、３４Ｌ，３４Ｒ  ネジ貫通孔、３５Ｌ，３５Ｒ  端部カバー被差込部、３６Ｌ  貫通孔、３７Ｌ  貫通孔形成部位、３８Ｌ，３８Ｒ  排水孔、４０Ｌ，４０Ｒ  カバー固定具、４１Ｌ，４１Ｒ  ネジ孔、４２Ｌ，４２Ｒ  差込部、４３Ｌ，４３Ｒ  延長部、４４Ｌ，４４Ｒ  対向部、５０Ｌ，５０Ｒ，５０Ｌ−１，５０Ｌ−２，５０Ｌ−１−１，５０Ｒ−１  取付金具、６０，６０−１，６０−２  フレーム、６１Ｌ，６１Ｒ  長孔、６２  平板部、６３  側面部、６４  凹み部、６５Ｃ  貫通孔、７０Ｌ，７０Ｒ  特殊ネジ、８０  防水型電源装置、８１  電源装置用ケース本体、８２−１，８２−２  パッキン、８３−１，８３−２
パッキン固定具、８４  ネジ、８５  ネジ孔、８８  ネジ、９０Ｌ，９０Ｒ  キャップ、９１Ｌ  ハーネス収納ゴム、９２  延焼防止シート、９３Ｃ  カバー固定板、９３Ｃ−１  ネジ孔、９４Ｌ，９４Ｒ  ストッパーネジ、９６Ｌ，９６Ｒ  ネジ、９６Ｃ  ネジ、９７Ｌ，９８Ｌ  吊りボルト、１００  ライトユニット、２００  器具本体、２１０  器具側貫通孔、２２０  器具側ナット、２３０  器具側平板部、２４０  フック付きワイヤー、２４１  フック、２４２  ワイヤー、２４３  ワイヤー端部、２５０  ワイヤー端取付部、３００  照明装置、３１０Ｌ  底部、３１１Ｌ  底部表面、３１２Ｌ  排水勾配、３１３Ｌ  範囲、３１４Ｌ  矢印、３１５Ｌ  端部、３１６Ｌ  下り勾配領域、３２０Ｌ
起立壁、３３０Ｌ  外郭、３４１Ｌ  周縁、３８０Ｌ，３８０Ｒ  ハーネス支持部、３９１Ｌ，３９１Ｒ  スリット、５０１Ｌ  破線、５０２Ｌ  水平部、５１１Ｌ，５１２Ｌ  側面部、５１３Ｌ，５１４Ｌ  先端、５３２Ｌ  凹み部、５３３Ｌ  貫通孔、５４１Ｌ  ワッシャー、５４２Ｌ  抜け止めワッシャー、６０１，６０２  折曲部、６０３，６０４  下側表面、６０５，６０６  隙間、６２１，６２２  隙間、６１１，６１２，６１３，６１４  引掛部、７０１  重心、９６１Ｌ  ネジ頭、９６２Ｌ  ネジ軸。
【図１】
2019036560.tif 000003
【図２】
2019036560.tif 000004
【図３】
2019036560.tif 000005
【図４】
2019036560.tif 000006
【図５】
2019036560.tif 000007
【図６】
2019036560.tif 000008
【図７】
2019036560.tif 000009
【図８】
2019036560.tif 000010
【図９】
2019036560.tif 000011
【図１０】
2019036560.tif 000012
【図１１】
2019036560.tif 000013
【図１２】
2019036560.tif 000014
【図１３】
2019036560.tif 000015
【図１４】
2019036560.tif 000016
【図１５】
2019036560.tif 000017
【図１６】
2019036560.tif 000018
【図１７】
2019036560.tif 000019
【図１８】
2019036560.tif 000020
【図１９】
2019036560.tif 000021
【図２０】
2019036560.tif 000022
【図２１】
2019036560.tif 000023
【図２２】
2019036560.tif 000024
【図２３】
2019036560.tif 000025
【図２４】
2019036560.tif 000026
【図２５】
2019036560.tif 000027
【図２６】
2019036560.tif 000028
【図２７】
2019036560.tif 000029
【図２８】
2019036560.tif 000030
【図２９】
2019036560.tif 000031
【図３０】
2019036560.tif 000032
【図３１】
2019036560.tif 000033
【図３２】
2019036560.tif 000034
【図３３】
2019036560.tif 000035
【図３４】
2019036560.tif 000036
【図３５】
2019036560.tif 000037
【図３６】
2019036560.tif 000038
【図３７】
2019036560.tif 000039
【図３８】
2019036560.tif 000040
【図３９】
2019036560.tif 000041
【図４０】
2019036560.tif 000042